(57)【要約】【課題】ネジ止め作業が不要で一人作業が容易となり、施工性が大幅に向上すると共に、ネジ止めを不要とした構造でありながら、壁パネルに対する隅立てジョイナーの取り付け強度を向上させると共にコスト削減を図ること。【解決手段】ベース部７と可撓性を有するＪ形フック部８とが一体形成され、Ｊ形フック部８の内面に一方の壁パネル１の第１パネル折り返し片４を挟圧する突起部９が突設していると共に、Ｊ形フック部８の先端部８ａとベース部７との間の隙間間隔Ａが第１パネル折り返し片４の突出長Ｂよりも短い寸法とされた隅立てジョイナー６を備え、Ｊ形フック部８を回転させて第１パネル折り返し片４を挟持可能とする壁コーナーのジョイント構造である。【選択図】図１
2008267085.tif 000002
【特許請求の範囲】
【請求項１】
部屋のコーナー部において直交する壁パネルを接合する隅立てジョイナーを備えた壁コーナーのジョイント構造であって、直交する一方の壁パネルの側端部に、該一方の壁パネルの面方向と略平行に延出するパネル延出片と、パネル延出片の先端より他方の壁パネルから離れる方向に折り返された第１パネル折り返し片とが設けられ、他方の壁パネルの側端部に、上記パネル延出片と略平行な方向に折り返された第２パネル折り返し片が設けられ、上記隅立てジョイナーは、上記第２パネル折り返し片のパネル延出片側の面とは反対側の面に配置されるベース部と、ベース部から略直交方向に突設して上記第１パネル折り返し片を挟持するための可撓性を有するＪ形フック部とが一体形成されており、上記Ｊ形フック部の内面には第１パネル折り返し片を挟圧するための突起部が突設していると共に、Ｊ形フック部の先端部とこれに対向するベース部との間の隙間間隔が第１パネル折り返し片の突出長よりも短い寸法とされており、上記隅立てジョイナーは、Ｊ形フック部の先端部を第１パネル折り返し片の前面に当てた状態で該先端部を支点としてＪ形フック部を第１パネル折り返し片の後面側に回転させることで、Ｊ形フック部の拡縮方向の弾性変形により第１パネル折り返し片を挟圧状態にでき且つこの挟圧状態でベース部が第２パネル折り返し片のパネル延出片側の面とは反対側の面に移動するように構成されていると共に、上記ベース部と一方の壁パネルのパネル延出片との隙間に第２パネル折り返し片が挿入され、さらに第２パネル折り返し片と上記パネル延出片との隙間に接合部目地が圧入されることで第２パネル折り返し片を接合部目地とベース部との間で挟着し得るように構成されていることを特徴とする壁コーナーのジョイント構造。
【発明の詳細な説明】
【技術分野】
【０００１】
本発明は、壁コーナーのジョイント構造に関し、詳しくは例えば浴室コーナー部において直交する壁パネルを互いに接合するための隅立てジョイナーの構造に関するものである。
【背景技術】
【０００２】
従来から、ユニットバスルームやシステムバスルーム等の浴室ユニットの組立に際し、浴室コーナー部において直交する壁パネルを接合する方法として、例えば図４に示すように、直交する壁パネル１，２の側端部の外側に平面視略Ｃ字形のコーナージョイナー３０を立て掛け、両方の壁パネル１，２のム字状の折り曲げ片３３をそれぞれコーナージョイナー３０の内部に挿入して係止部３０ａに当てた状態で、折り曲げ片３３，３３間に接合部目地３４を圧入するようにした接合構造が知られている（例えば、特許文献１参照）。
【０００３】
しかしながらこの従来例では、事前にコーナージョイナー３０の下端をネジ等で固定しているが、ぐらつきが生じやすく、このため、作業者がコーナージョイナー３０を支えながら、壁パネル１，２の折り曲げ片３３をコーナージョイナー３０の内部に挿入して係止部３０ａに当てた状態で、接合部目地３４を押し込む作業を行なう必要があり、このため、一人作業での施工が困難であるという課題があった。
【０００４】
そこで他の従来例として、例えば図５（ａ）（ｂ）に示すように、平面視略Ｔ字形のコーナージョイナー３１の固定部３５に一方の壁パネル１のパネル折り返し片３６を重ねてネジ３７で固定し、コーナージョイナー３１のベース３８に他方の壁パネル２のパネル折り返し片３９を重ねた状態で、壁パネル１，２間の隙間４０に接合部目地３４を圧入するようにした接合構造が提案されている。
【０００５】
ところがこの他の従来例では、コーナージョイナー３１の固定部３５及びこれと重なる一方の壁パネル１のパネル折り返し片３６にそれぞれネジ孔４１ａ，４１ｂを設けて、一方の壁パネル１とコーナージョイナー３１とを予めネジ３７で固定する必要があり、ネジ孔４１ａ，４１ｂをあける作業、及びネジ３７を締め付ける作業にそれぞれ手間がかかり、コストアップを招くという課題があった。
【特許文献１】特開２０００−２３０３３７号公報
【発明の開示】
【発明が解決しようとする課題】
【０００６】
本発明は上記の従来の問題点に鑑みて発明したものであって、ネジ止め作業が不要で一人作業が容易となり、施工性が大幅に向上すると共に、ネジ止めを不要とした構造でありながら、壁パネルに対する隅立てジョイナーの取り付け強度を向上させると共にコスト削減ができる壁コーナーのジョイント構造を提供することを課題とするものである。
【課題を解決するための手段】
【０００７】
前記課題を解決するために本発明にあっては、部屋のコーナー部において直交する壁パネル１，２を接合する隅立てジョイナー６を備えた壁コーナーのジョイント構造であって、直交する一方の壁パネル１の側端部に、該一方の壁パネル１の面方向と略平行に延出するパネル延出片３と、パネル延出片３の先端より他方の壁パネル２から離れる方向に折り返された第１パネル折り返し片４とが設けられ、他方の壁パネル２の側端部に、上記パネル延出片３と略平行な方向に折り返された第２パネル折り返し片５が設けられ、上記隅立てジョイナー６は、上記第２パネル折り返し片５のパネル延出片３側の面とは反対側の面に配置されるベース部７と、ベース部７から略直交方向に突設して上記第１パネル折り返し片４を挟持するための可撓性を有するＪ形フック部８とが一体形成されており、上記Ｊ形フック部８の内面には第１パネル折り返し片４を挟圧するための突起部９が突設していると共に、Ｊ形フック部８の先端部８ａとこれに対向するベース部７との間の隙間間隔Ａが第１パネル折り返し片４の突出長Ｂよりも短い寸法とされており、上記隅立てジョイナー６は、Ｊ形フック部８の先端部８ａを第１パネル折り返し片４の前面４ａに当てた状態で該先端部８ａを支点としてＪ形フック部８を第１パネル折り返し片４の後面４ｂ側に回転させることで、Ｊ形フック部８の拡縮方向の弾性変形により第１パネル折り返し片４を挟圧状態にでき且つこの挟圧状態でベース部７が第２パネル折り返し片５のパネル延出片３側の面とは反対側の面に移動するように構成されていると共に、上記ベース部７と一方の壁パネル１のパネル延出片３との隙間１０に第２パネル折り返し片５が挿入され、さらに第２パネル折り返し片５と上記パネル延出片３との隙間に接合部目地１１が圧入されることで、第２パネル折り返し片５を接合部目地１１とベース部７との間で挟着し得るように構成されていることを特徴としている。
【０００８】
このような構成とすることで、Ｊ形フック部８を回転させて第１パネル折り返し片４を挟持するだけで第１パネル折り返し片４に対して隅立てジョイナー６を簡単に取り付けることができるので、従来のようなネジを用いる場合と比較して、ネジ止め作業が不要となり且つ一人作業が容易となると共に、壁パネル１，２及び隅立てジョイナー６にそれぞれネジ孔を孔あけする必要がないので、作業性が一層向上する。さらにＪ形フック部８の突起部９が第１パネル折り返し片４に挟圧されているので、Ｊ形フック部８を第１パネル折り返し片４に対してがたつきを生じない状態で確実に抜け止めすることができると共に、接合部目地１１とベース部７との間で第２パネル折り返し片５が挟着されることで、ベース部７と第２パネル折り返し片５との間でのがたつきの発生を防止できるものである。
【発明の効果】
【０００９】
本発明は、隅立てジョイナーのＪ形フック部を回転させて一方の壁パネルの第１パネル折り返し片を挟持する方式を採用することで、従来のようなネジを用いる場合と比較して、ネジ止め作業が不要となり且つ一人作業が容易となり、施工性が大幅に向上するものであり、さらに壁パネル及び隅立てジョイナーにそれぞれネジ孔を孔あけする必要がないので、作業性が一層向上すると共にコスト削減にも有効である。またＪ形フック部の突起部により第１パネル折り返し片との嵌合部分でのがたつきの発生を防止できると共に接合部目地によりベース部と第２パネル折り返し片との間でのがたつきの発生を防止できるので、ネジ止めを不要とした構造でありながら、直交する壁パネルに対する隅立てジョイナーの取り付け強度を向上させることができるものである。
【発明を実施するための最良の形態】
【００１０】
以下、本発明を添付図面に示す実施形態に基いて説明する。
【００１１】
本実施形態の隅立てジョイナー６は、例えばユニットバスルームやシステムバスルーム等の浴室ユニットの組立に際し、浴室コーナー部において直交する壁パネル１，２を接合するために用いられる。
【００１２】
直交する一方の壁パネル１の側端部には、図１に示すように、該一方の壁パネル１の面方向と略平行に延出するパネル延出片３と、パネル延出片３の先端より他方の壁パネル２から離れる方向に折り返された第１パネル折り返し片４とが設けられている。また、直交する他方の壁パネル２の側端部には、上記パネル延出片３と略平行な方向に折り返された第２パネル折り返し片５が設けられている。
【００１３】
本実施形態の隅立てジョイナー６は、ベース部７とＪ形フック部８とＬ形補強片１２とが合成樹脂の一体成形品にて構成されている。
【００１４】
上記ベース部７は、上記第２パネル折り返し片５の背後、つまり、パネル延出片３側の面とは反対側の面に配置されるものであり、このベース部７と後述する接合部目地１１との間で第２パネル折り返し片５を挟着できるようになっている。ここではベース部７の前端部分７ａは厚肉形状とされ、パネル延出片３と第２パネル折り返し片５との隙間１０を狭めると共に、ベース部７の強度向上を図っている。
【００１５】
上記ベース部７の後端部からは略直交方向にＪ形フック部８が突設されている。Ｊ形フック部８は、上記第１パネル折り返し片４を挟持することができる断面逆Ｊ字形をしており、ベース部７に面して開口している。Ｊ形フック部８の先端部８ａ側の内面には、１又は複数（本例では２箇所）の突起部９が突設している。突起部９はＪ形フック部８で第１パネル折り返し片４を挟持したときに第１パネル折り返し片４を挟圧することでＪ形フック部８を第１パネル折り返し片４に対してがたつきを生じない状態で確実に抜け止めする働きをする。
【００１６】
さらに、Ｊ形フック部８の先端部８ａとこれに対向するベース部７との間の隙間間隔Ａは、第１パネル折り返し片４の突出長Ｂよりも短い寸法とされている。
【００１７】
上記構成の隅立てジョイナー６は、Ｊ形フック部８の先端部８ａを第１パネル折り返し片４の前面根元部４ａに当てた状態で該先端部８ａを支点としてＪ形フック部８を第１パネル折り返し片４の後面４ｂ側に回転させることで、Ｊ形フック部８の拡縮方向の弾性変形により第１パネル折り返し片４を挟圧状態にでき且つこの挟圧状態でベース部７が第２パネル折り返し片５のパネル延出片３側の面とは反対側の面に移動するように構成されている。
【００１８】
上記パネル延出片３と第２パネル折り返し片５との間には接合部目地１１が圧入される。接合部目地１１は、例えばＡＢＳ、ＰＳ等の樹脂押し出し成形品からなり、幅広の頭部１１ａと両面にひれ状の圧着片１１ｂが突設された軸部１１ｃとが一体成形されている。この接合部目地１１は、第２パネル折り返し片５を接合部目地１１とベース部７との間で挟着する働きと、直交する壁パネル１，２間の接合部を密閉する働きとをする。
【００１９】
次に上記構成の隅立てジョイナー６を用いた接合作業の一例を図２を参照して説明する。予め、一方の第１パネル折り返し片４に隅立てジョイナー６を取り付ける。先ず、図３の仮想線で示すように、Ｊ形フック部８の先端部８ａを第１パネル折り返し片４の前面根元部４ａに当てた状態でＪ形フック部８の先端部８ａを支点として隅立てジョイナー６を回転させる。このときＬ形補強片１２をつまんで回転操作を容易に行なうことができる。なお、図２（ａ）→（ｂ）のように隅立てジョイナー６を固定して一方の壁パネル１の方を回転させてもよい。このときＪ形フック部８を回転させることで弾性変形により拡開し、その後、自己復元力により元の状態に縮小することにより、つまり拡縮方向の弾性変形により、第１パネル折り返し片４がＪ形フック部８内に挟持された状態となる（図２（ｃ）、図３の実線で示す状態）。またこのとき図１に示すように、Ｊ形フック部８内に設けた突起部９が第１パネル折り返し片４を挟圧することでＪ形フック部８は第１パネル折り返し片４に対してがたつきのない状態で確実に抜け止めされた状態となると共に、隅立てジョイナー６のベース部７とパネル延出片３との間に隙間１０が形成される。その後、図２（ｄ）のように他方の壁パネル２の第２パネル折り返し片５を隙間１０に挿入する。これにより、ベース部７が第２パネル折り返し片５の背後に配置された状態となり、最後に、図２（ｅ）（ｆ）に示すように、パネル延出片３と第２パネル折り返し片５との隙間に浴室内から接合部目地１１を圧入する。これにより、接合部目地１１とベース部７との間で第２パネル折り返し片５が挟着された状態となり、隅立てジョイナー６による壁パネル１，２の接合作業が終了する（図１の状態）。
【００２０】
しかして、上記構成の第１パネル折り返し片４に対して隅立てジョイナー６のＪ形フック部８を取り付けるにあたって、Ｊ形フック部８を回転させて第１パネル折り返し片４を挟持する方式を採用することで、隅立てジョイナー６を一方の壁パネル１に対して簡単にワンタッチで取り付けることができる。従って、従来のようなネジを用いないで、ネジ止め作業が不要となり且つ一人作業が容易となり、施工性が大幅に向上する。そのうえ壁パネル１，２及び隅立てジョイナー６にそれぞれネジ孔を孔あけする必要がないので、作業性が一層向上すると共にコスト削減にも有効である。
【００２１】
さらに、Ｊ形フック部８とベース部７とは平面視Ｌ字状に直交しているため、隅立てジョイナー６の前後移動はＪ形フック部８と第１パネル折り返し片４との挟着部分によって阻止され、隅立てジョイナー６の左右移動はベース部７と第２パネル折り返し片５との係止部分によって阻止される。さらに、Ｊ形フック部８の突起部９が第１パネル折り返し片４に挟圧されているので、Ｊ形フック部８と第１パネル折り返し片４との嵌合部分でのがたつきの発生を防止できる。さらに接合部目地１１とベース部７との間で第２パネル折り返し片５が挟着されることで、ベース部７と第２パネル折り返し片５との間でのがたつきの発生を防止できる。従って、ネジ止めを不要とした構造でありながら、直交する壁パネル１，２に対する隅立てジョイナー６の取り付け強度を向上させることができる。
【００２２】
また、第１パネル折り返し片４に対してＪ形フック部８を回転させて嵌め込むようにしたので、パネル延出片３と第２パネル折り返し片５との隙間１０を第１パネル折り返し片４の突出長Ｂよりも狭くした場合でも、第１パネル折り返し片４へのＪ形フック部８の取り付けが可能となる。従って、隙間１０を狭くできるので、接合部目地１１による防水密閉を容易に行なうことができる。
【００２３】
さらにＪ形フック部８を回転させて第１パネル折り返し片４を挟持する過程でＪ形フック部８は広がる方向に十分に撓むことが可能であるので、第１パネル折り返し片４の突出長Ｂが異なるタイプにも容易に対応できる利点もある。
【図面の簡単な説明】
【００２４】
【図１】本発明の一実施形態の隅立てジョイナーを用いて直交する壁パネルを接合した状態を説明する平面断面図である。
【図２】（ａ）〜（ｆ）は同上の隅立てジョイナーを用いて接合作業を行なう場合の一例を説明する説明図である。
【図３】同上の隅立てジョイナーを回転させてＪ形フック部を一方の壁パネルの第1パネル折り返し片に取り付ける過程を説明する説明図である。
【図４】従来例の説明図である。
【図５】（ａ）（ｂ）は他の従来例の説明図である。
【符号の説明】
【００２５】
１  一方の壁パネル
２  他方の壁パネル
３  パネル延出片
４  第1パネル折り返し片
４ａ  前面根元部
４ｂ  後面
５  第２パネル折り返し片
６  隅立てジョイナー
７  ベース部
８  Ｊ形フック部
８ａ  先端部
９  突起部
１０  隙間
１１  接合部目地
Ａ  隙間間隔
Ｂ  第1パネル折り返し片の突出長
【図１】
2008267085.tif 000003
【図２】
2008267085.tif 000004
【図３】
2008267085.tif 000005
【図４】
2008267085.tif 000006
【図５】
2008267085.tif 000007